(57)【要約】【課題】  本発明は、医療用検査装置において、追加撮影を適切かつ容易に行うことを目的とする。【解決手段】  本発明は、実施予定の検査情報を予約状態で記憶する第一の記憶手段と、  前記実施予定の検査情報を一覧表示する第一の表示手段と、実施済の検査情報を記憶する第二の記憶手段と、前記実施済の検査情報を一覧表示する第二の表示手段と、前記第二の表示手段に表示された前記検査情報を選択する選択手段と、前記選択手段で選択された検査情報を予約状態にし、前記第一の記憶手段に記憶する予約手段と、を備えることを特徴とする。【選択図】  図３
2013210966.tif 000002
【特許請求の範囲】
【請求項１】
実施予定の検査情報を予約状態で記憶する第一の記憶手段と、
前記実施予定の検査情報を一覧表示する第一の表示手段と、
実施済の検査情報を記憶する第二の記憶手段と、
前記実施済の検査情報を一覧表示する第二の表示手段と、
前記第二の表示手段に表示された前記検査情報を選択する選択手段と、
前記選択手段で選択された検査情報を予約状態にし、前記第一の記憶手段に記憶する予約手段と、を備えることを特徴とする医療用検査装置。
【請求項２】
前記予約手段により前記検査情報を予約状態にする場合、当該検査情報に含まれる撮影画像の変更を禁止する禁止手段を更に有することを特徴とする請求項１に記載の医療用検査装置。
【請求項３】
前記予約手段により前記検査情報を予約状態にする場合、当該検査情報に含まれる同定情報を引き継がせる引継手段を更に有することを特徴とする請求項１もしくは２のいずれか１項に記載の医療用検査装置。
【請求項４】
前記第一の表示手段は、前記予約手段により前記検査情報を予約状態にする場合、当該予約状態になった検査情報を他の検査情報と異なる表示形態で表示させることを特徴とする請求項１乃至３のいずれか１項に記載に医療用検査装置。
【請求項５】
実施予定の検査情報を予約状態で記憶する第一の記憶工程と、
前記実施予定の検査情報を一覧表示する第一の表示工程と、
実施済の検査情報を記憶する第二の記憶工程と、
前記実施済の検査情報を一覧表示する第二の表示工程と、
前記第二の表示工程で表示された前記検査情報を選択する選択工程と、
前記選択手段で選択された検査情報を予約状態にし、前記第一の記憶手段に記憶する予約工程と、を備えることを特徴とする医療用検査装置。
【請求項６】
コンピュータを、
実施予定の検査情報を予約状態で記憶する第一の記憶手段と、
前記実施予定の検査情報を一覧表示する第一の表示手段と、
実施済の検査情報を記憶する第二の記憶手段と、
前記実施済の検査情報を一覧表示する第二の表示手段と、
前記第二の表示手段に表示された前記検査情報を選択する選択手段と、
前記選択手段で選択された検査情報を予約状態にし、前記第一の記憶手段に記憶する予約手段と、を備えることを特徴とする医療用検査装置として機能させるためのコンピュータ読み取り可能なコンピュータプログラム。
【発明の詳細な説明】
【技術分野】
【０００１】
本発明は、検査情報を処理する医療用検査装置に関するものである。
【背景技術】
【０００２】
近年、病院では、ネットワーク接続による病院情報システムが構築されている。例えば、患者のＸ線撮影が必要と判断されると、ＨＩＳ（Ｈｏｓｐｉｔａｌ  Ｉｎｆｏｒｍａｔｉｏｎ  Ｓｙｓｔｅｍ）端末より検査指示の入力が行われ、依頼先である放射線部門に検査指示が伝達される。
【０００３】
この検査指示の情報もしくは依頼情報は、検査オーダと一般に言われている。この検査オーダには依頼元の部門名や、検査項目、患者の個人データなどの情報が含まれている。
【０００４】
放射線部門に検査オーダが受信された後、放射線技師は検査オーダに撮影条件などを付加し、Ｘ線検査システムへ転送する。Ｘ線検査システムでは受信した検査オーダに従ってＸ線撮影を実施する。撮影された画像は検査情報に付与し、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）への転送やプリント出力が行われる。尚、撮影された画像は、部位ごとにあらかじめ定められた画像処理を施され、表示される。
【０００５】
ＨＩＳなどからネットワークで検査情報が入力される以外にも、一度検査実施した患者の名前や性別、生年月日などの情報は過去患者リストとして保存し、次回検査時に流用することも一般的に知られている。
【先行技術文献】
【特許文献】
【０００６】
【特許文献１】特開２０１０−２５３０４４
【発明の概要】
【発明が解決しようとする課題】
【０００７】
従前の医療用検査システムでは、検査終了後に追加撮影が必要とわかった場合に、前述した過去患者リストを用いて追加検査を行うと、検査情報に含まれる検査ＩＤや受付番号などの同定情報が検査済の検査と一致せず、別検査という扱いを受けてしまう可能性がある。
【０００８】
特許文献１には、検査実施済の検査に新たに撮影追加可能にするために、検査終了操作を行ってから実際に検査終了するまで所定時間のマージンを持たせているシステムが開示されている。
【０００９】
しかしながら、特許文献１に開示されている所定時間後に追加撮影を行う必要が生じるケースも存在する。本発明は、上記課題を鑑みてなされたものであり、医療用検査装置において、追加撮影を適切かつ容易に行うことを目的とする。
【課題を解決するための手段】
【００１０】
本発明の医療用検査装置は、実施予定の検査情報を予約状態で記憶する第一の記憶手段と、前記実施予定の検査情報を一覧表示する第一の表示手段と、実施済の検査情報を記憶する第二の記憶手段と、前記実施済の検査情報を一覧表示する第二の表示手段と、前記第二の表示手段に表示された前記検査情報を選択する選択手段と、前記選択手段で選択された検査情報を予約状態にし、前記第一の記憶手段に記憶する予約手段と、を備えることを特徴とする医療用検査装置。
【発明の効果】
【００１１】
本発明によれば、医療用検査装置において、追加撮影を適切かつ容易に行うことが出来る。
【図面の簡単な説明】
【００１２】
【図１】本実施形態における医療用検査システムの構成図である
【図２】本実施形態の医療用検査システムのＸ線撮影装置制御部の構成図である
【図３】本実施形態における検査再開指示するフローチャートである
【図４】本実施形態における検査開始フローチャートである
【図５】予約検査一覧画面の画面例である
【図６】実施済の検査リストの画面例である
【図７】実施済検査リストから検査再開指示した時の確認画面の画面例である
【図８】予約検査一覧画面に再開検査が表示された時の画面例である
【図９】予約検査一覧画面で再開検査を絞り込みした時の画面例である
【発明を実施するための形態】
【００１３】
図１は、本実施形態を示し、医療用検査システムの機能構成の一例を示すブロック図である。
【００１４】
Ｘ線撮影装置１０６は、Ｘ線を照射するＸ線管球１０２、Ｘ線管球１０２を制御するＸ線発生装置制御部１０３、センサ１００から成るセンサユニット１０１、Ｘ線撮影を制御するＸ線撮影装置制御部１０４で構成される。１０５はＸ線撮影装置１０６の表示部であり、検査情報や撮影画像を表示する。また、１０５はＸ線撮影装置１０６の操作入力部であり、検査情報の入力や、画像処理の操作、検査進行指示等を行う。更に１０５は、磁気カードやバーコードリーダー等の外部装置の入力を含む。
【００１５】
Ｘ線撮影装置制御部１０４は、ＲＩＳ  １０８から受信した検査オーダ、もしくは操作者が操作入力部１０５により入力した検査オーダを表示部１０５に表示し、選択された撮影プロトコルに応じた、管電流や管電圧、照射時間等の撮影条件をＸ線発生装置制御部１０３へ送る。Ｘ線発生装置制御部１０３は、照射ボタンが押されると撮影条件に応じてＸ線管球１０２に高電圧をかけ、Ｘ線を発生させる。センサユニット１０１は、センサ１００で検出された被検者の透過Ｘ線量に相当する電荷をＡ／Ｄ変換し、Ｘ線デジタル画像としてＸ線撮影装置制御部１０４へ転送する。Ｘ線撮影装置制御部１０４は、受信したＸ線デジタル画像に対し、操作者が選択した撮影プロトコルに紐づく画像処理パラメータに基づいて、様々な補正処理や画像処理を施す。そして、画像処理後のＸ線デジタル画像をＰＡＣＳ  １０９へ保存すると共に、Ｖｉｅｗｅｒ１１０やプリンタ１１１に出力し、診断が行われる。
【００１６】
本実施形態は、図１に示すようなＸ線撮影システムに適用される。このＸ線撮影システムは、Ｘ線デジタル画像を撮影するＸ線撮影装置１０６を備える。更に、放射線部門内の情報システムであるＲＩＳ１０８、Ｘ線撮影装置１０６で撮影したＸ線デジタル画像を保存・管理するＰＡＣＳ１０９、診断用Ｘ線デジタル画像を表示するＶｉｅｗｅｒ１１０やプリンタ１１１を備え、ネットワーク１０７で接続される。
【００１７】
図２は、実施形態１における図１のＸ線撮影装置制御部の詳細を記したブロック図の一例である。
【００１８】
２０１は検査オーダを入力する検査オーダ入力部である。検査オーダは撮影する患者情報と撮影内容から構成される。検査オーダはＲＩＳなどの外部システムから入力される。
【００１９】
２０２は検査オーダ入力部２０１を通じてＲＩＳなどの外部システムから入力された新規検査を記憶する新規検査オーダ記憶部である。新規検査を記憶しておくことでオフライン状態になった場合でも入力された検査オーダを利用することができる。
【００２０】
２０３は、ＣＲＴや液晶モニターなどの表示装置に、放射線画像や検査情報を表示する表示部である。表示部２０３は、実施予定の検査情報を一覧表示する第一の表示手段および実施済の検査情報を一覧表示する第二の表示手段として機能し、新規検査オーダ記憶部２０２に記憶されている検査の一覧もここに表示される。
【００２１】
２０４は、表示部２０３に表示された放射線画像や検査オーダに対して、検査の開始や再開、終了などの指示を行うマウスやキーボードなどの操作入力部である。
【００２２】
２０５は、デジタルＸ線撮影装置で撮影された放射線画像を医療用検査システムへ入力する画像入力部である。ネットワークを介して入力される場合やＣＤ−ＲＯＭやＤＶＤなどのメディアを経由して入力される場合もある。
【００２３】
２０６は第二の記憶手段として機能し、実施した検査情報と画像入力部２０５から入力された画像を関連付けて記憶する実施済検査オーダ記憶部である。
【００２４】
２０７は、画像や検査情報御を外部に転送するための検査情報出力部である。
【００２５】
２０８は、予約状態の検査情報を記憶する第一の記憶手段として機能し、実施済検査オーダを再度新規検査オーダとして生成して登録する検査オーダ生成部である。
【００２６】
２０９は、各部１０１〜１１１を相互に接続するシステムバスである。
【００２７】
次に、図３に示すフローチャートを用いて、本実施形態の実施済検査情報を選択して再度予約する際の医療用検査システムの動作について具体的に説明する。
【００２８】
図３において、ステップＳ３０１では、実施済の検査情報を読み込み、ステップＳ３０２で実施済検査情報を一覧表示する。
【００２９】
ステップＳ３０３でユーザからの入力の有無を確認し、入力があるまで待機する。
【００３０】
入力が行われるとステップＳ３０４へ進み、入力された内容が検査選択だったかどうか確認する。
【００３１】
検査選択以外の指示だった場合、ステップＳ３０５へ進み、入力内容に沿ったその他の処理を実行する。
【００３２】
検査選択だった場合は、ステップＳ３０６へ進み、再度入力があるまで待機する。
【００３３】
入力が行われるとステップＳ３０７へ進み、入力された内容が検査再開の指示だったかどうか確認する。
【００３４】
検査再開以外の指示だった場合、ステップＳ３０５へ進み、入力内容に沿ったその他の処理を実行する。
【００３５】
検査再開の指示だった場合は、ステップＳ３０８へ進み、検査再開の確認をユーザに対して行う。
【００３６】
ステップＳ３０９で確認結果を判断し、再開の確認が得られなかった場合は処理を終了する。再開してよいとユーザが確認した旨の指示があった場合は、医療用検査装置が有する不図示の予約手段が機能し、ステップＳ３１０で実施済の検査情報を予約状態にして、予約検査情報を生成する。予約検査情報を生成する際、医療用検査装置が有する不図示の禁止手段が機能し、検査情報に含まれる撮影済の撮影画像の変更を禁止する。また、医療用検査装置が有する不図示の引継手段が機能し、受付番号や検査ＩＤ、撮影済手技８０５などの検査情報の同定情報は新たに生成された予約検査情報に引き継がせる。
【００３７】
その後、ステップＳ３１１で生成した予約検査情報を新規検査リストに登録する。
【００３８】
次に、図４に示すフローチャートを用いて、本実施の形態の検査開始画面における医療用検査システムの動作について具体的に説明する。
【００３９】
図４において、ステップＳ４０１では、記憶されている新規検査リストの読み込みを行う。新規検査リストにはあらかじめマニュアルで予約された検査や図３のフローチャートによって実施済検査から予約された検査情報が記憶されている。
【００４０】
ステップＳ４０２でＲＩＳから検査オーダの受信を行う。その後、ステップＳ４０３で新規検査リストとＲＩＳから受信した検査オーダの情報をマージして表示する。
【００４１】
ステップＳ４０４でユーザからの入力の有無を確認し、入力があるまで待つ。
【００４２】
入力が行われるとステップＳ４０５へ進み、入力された内容が検査選択だったかどうか確認する。
【００４３】
検査選択以外の指示だった場合、ステップＳ４０６へ進み、入力内容に沿ったその他の処理を実行する。
【００４４】
検査選択だった場合は、ステップＳ４０７へ進み、再度入力があるまで待つ。
【００４５】
入力が行われるとステップＳ４０８へ進み、入力された内容が検査開始の指示だったかどうか確認する。
【００４６】
検査開始以外の指示だった場合、ステップＳ４０６へ進み、入力内容に沿ったその他の処理を実行する。
【００４７】
検査開始の指示だった場合は、ステップＳ４０９へ進み、開始指示された検査に撮影すべき手技の情報が含まれているかどうか判断する。
【００４８】
撮影手技の情報が含まれていればステップＳ４１１へ進み検査開始を行う。撮影手技の情報が含まれていない場合は、ステップＳ４１０で手技の追加を行ってからステップＳ４１１へ進む。
【００４９】
図５は、実施予定の検査一覧の例である。実施予定検査表示画面５０１には、過去画像参照画面に切り替える過去画像参照ボタン５０２と各種設定を切り替えるシステムボタン５０３が画面上部に配置されている。
【００５０】
検査リスト５０８には実施予定の検査情報が一覧表示されており、検索領域５０４の検索キーワード入力ボックス５０５に値を入力することで自動的に絞り込むことが出来る。また、すべての検査５０６と再開した検査５０７のラジオボタンを切り替えることで検査の状態欄に表示されている状態を元に絞り込むことができる。
【００５１】
検査リスト上の検査を選択すると、選択された検査情報が患者情報表示部５０９と検査情報表示部５１０に表示される。
【００５２】
更新５１１ボタンを押下すると、検査リストに表示されている検査オーダが更新される。検査開始ボタン５１２を押下すると選択した検査を開始することが出来る。
【００５３】
図６は、実施済検査の一覧の例である。実施済検査表示画面６０１には、撮影画面へ切り替える撮影ボタン６０２と各種設定を切り替えるシステムボタン６０３が画面上部に配置されている。
【００５４】
実施済検査リスト６０５にはこれまで実施された検査情報が一覧表示されており、検索領域６０４で値を入力することで自動的に絞り込むことが出来る。
【００５５】
マウスカーソル６０６を用いてリスト上の検査６０７を選択すると、選択された検査情報が患者情報表示部６０８と検査情報表示部６０９に表示される。また、削除ボタン６１０を押下して選択された検査を削除することもできる。
【００５６】
検査再開６１１ボタンを押下すると、選択されている検査を検査予約し追加撮影することができる。再生ボタン６１２を押下すると検査情報に含まれる画像を再生することができる。
【００５７】
図７は、検査を再開する際に、予約既検査リストに追加することを確認するダイアログ７０１である。ＯＫボタン７０３が押下されると予約検査リストに追加する。キャンセルボタン７０２が押下されると予約検査リストには追加せず、再開処理は行わない。
【００５８】
図８は、図６に示した実施済検査リスト画面から検査再開を指示されたあとの予約検査一覧画面８０１である。
【００５９】
図６で指定された検査８０２が予約検査リストに再開状態で登録されている。
【００６０】
この検査を選択すると患者情報８０３だけでなく受付番号や検査ＩＤ、撮影済手技８０５などの検査情報の同定情報８０４も引き継がれている。ただし、本実施形態では前回の検査実施時に撮影済の画像はサムネイル部分の表示色を変えるなどの異なる表示形態で表示し、画像の編集（変更）を禁止している。
【００６１】
図９は、図８に示す状態からラジオボタン再開した検査９０２を選択して絞り込んだ状態を示した画面９０１である。
【００６２】
絞込みの結果再開状態の１件だけが検査リストに表示されている。このように絞込みを用いることで再開検査を用意に選択することができる。
【００６３】
（他の実施形態）
実施例では引き継がれる検査情報の同定情報として受付番号や検査ＩＤを挙げたが、これ以外にもＳｔｕｄｙ  Ｉｎｓｔａｎｃｅ  ＵＩＤやＳｃｈｅｄｕｌｅｄ  Ｐｒｏｃｅｄｕｒｅ  Ｓｔｅｐ  ＩＤなど検査情報に関連する情報も引き継ぐことが考えられる。
【００６４】
また、上記実施形態の機能を実現する様に各種のデバイスを動作させる様に該各種デバイスと接続された装置あるいはシステム内のコンピュータに、前記実施形態機能（例えば、図２のフローチャートにより実現される機能）を実現するためのコンピュータ読み取り可能なコンピュータプログラムコードを供給する。そして、そのシステムあるいは装置のコンピュータ（ＣＰＵあるいはＭＰＵ）を格納されたプログラムに従って前記各種デバイスを動作させることによって実施したものも本発明の範疇に含まれる。
【００６５】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００６６】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることが出来る。
【００６７】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００６８】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【図１】
2013210966.tif 000003
【図２】
2013210966.tif 000004
【図３】
2013210966.tif 000005
【図４】
2013210966.tif 000006
【図５】
2013210966.tif 000007
【図６】
2013210966.tif 000008
【図７】
2013210966.tif 000009
【図８】
2013210966.tif 000010
【図９】
2013210966.tif 000011